(57)【要約】【課題】従来の放送受信装置は、所定の放送が受信できなくなった際にはその都度、ユーザ自身が、代替の放送番組を探さなければならなかった。【解決手段】この発明に係るデジタル放送受信装置は、放送局から所定周波数で送信されるデジタル放送を受信するように予め設定された周波数に基づいてデジタル放送を受信するデジタル放送受信手段と、設定されたデジタル放送が受信されたか否かを判別するデジタル放送受信判別手段と、受信が設定されたデジタル放送が受信されないと判別された場合は、その代替としての放送が受信されるための代替チャンネルが設定されているか否かを判別する代替チャンネル判別手段と、代替チャンネルが設定されていると判別された場合は設定されたデジタル放送から前記代替チャンネルへ切り換えて代替チャンネルの放送を受信する切り換え受信手段とを備えるように構成している。【選択図】  図１
2004241983.tif 000002
【特許請求の範囲】
【請求項１】
放送局から送信されたデジタル放送を受信するデジタル放送受信装置において、
放送局から所定周波数で送信されるデジタル放送を受信するように予め設定された周波数に基づいてデジタル放送を受信するデジタル放送受信手段と、
前記設定されたデジタル放送が受信されたか否かを判別するデジタル放送受信判別手段と、
前記受信が設定されたデジタル放送が受信されないと判別された場合は、その代替としての放送が受信されるための代替チャンネルが設定されているか否かを判別する代替チャンネル判別手段と、
前記代替チャンネルが設定されていると判別された場合は前記設定されたデジタル放送から前記代替チャンネルへ切り換えて代替チャンネルで放送される放送を受信する切り換え受信手段とを備えることを特徴とするデジタル放送受信装置。
【請求項２】
放送局から送信されたデジタル放送を受信するデジタル放送受信装置において、
放送局から所定周波数で送信されるデジタル放送を受信するように予め設定された周波数に基づいてデジタル放送を受信するデジタル放送受信手段と、
前記設定されたデジタル放送が受信されたか否かを判別するデジタル放送受信判別手段と、
前記受信が設定されたデジタル放送が受信されないと判別された場合は、その代替としての放送が受信されるための代替チャンネルが設定されているか否かを判別する代替チャンネル判別手段と、
前記代替チャンネルが設定されていないと判別された場合は前記設定されたデジタル放送から無信号チャンネルへ切り換えて無信号チャンネルで放送される放送を受信する切り換え受信手段とを備えることを特徴とするデジタル放送受信装置。
【請求項３】
放送局から送信されたデジタル放送を受信するデジタル放送受信装置において、
放送局から所定周波数で送信されるデジタル放送を受信するように予め設定された周波数に基づいてデジタル放送を受信するデジタル放送受信手段と、
前記設定されたデジタル放送が受信されたか否かを判別するデジタル放送受信判別手段と、
前記受信が設定されたデジタル放送が受信されないと判別された場合は、その代替としての放送が受信されるための代替チャンネルが設定されているか否かを判別する代替チャンネル判別手段と、
前記代替チャンネルが設定されていると判別された場合は、前記設定されたデジタル放送から前記代替チャンネルへ切り換えて代替チャンネルで放送される放送を受信し、前記代替チャンネルが設定されていないと判別された場合は、前記設定されたデジタル放送から無信号チャンネルへ切り換えて無信号チャンネルで放送される放送を受信する切り換え受信手段とを備えることを特徴とするデジタル放送受信装置。
【請求項４】
放送局から送信されたデジタル放送を受信するデジタル放送受信装置において、
放送局から所定周波数で送信されるデジタル放送を受信するように受信周波数が設定される受信周波数設定手段と、
前記設定された周波数に基づいてデジタル放送を受信するデジタル放送受信手段と、
前記設定されたデジタル放送が受信されたか否かを判別するデジタル放送受信判別手段と、
前記受信が設定されたデジタル放送が受信されないと判別された場合は、その代替としての放送が受信されるための代替チャンネルが設定されているか否かを判別する代替チャンネル判別手段と、
前記代替チャンネルが設定されていると判別された場合は、前記設定されたデジタル放送から前記代替チャンネルへ切り換えて代替チャンネルで放送される放送を受信する切り換え受信手段とを備えることを特徴とするデジタル放送受信装置。
【請求項５】
放送局から送信されたデジタル放送を受信するデジタル放送受信装置において、
放送局から所定周波数で送信されるデジタル放送を受信するように予め設定された周波数に基づいてデジタル放送を受信するデジタル放送受信手段と、
前記設定されたデジタル放送が受信されたか否かを判別するデジタル放送受信判別手段と、
前記受信が設定されたデジタル放送が受信されないと判別された場合に、その代替として放送が受信されるための代替チャンネルが設定されるための代替チャンネル設定手段と、
前記受信が設定されたデジタル放送が受信されないと判別された場合は、前記設定されたデジタル放送から前記設定された代替チャンネルへ切り換えて代替チャンネルで放送される放送を受信する切り換え受信手段とを備えることを特徴とするデジタル放送受信装置。
【請求項６】
放送局から送信されたデジタル放送を受信するデジタル放送受信装置において、
放送局から所定周波数で送信されるデジタル放送を受信するように予め設定された周波数に基づいてデジタル放送を受信するデジタル放送受信手段と、
前記設定されたデジタル放送が受信されたか否かを判別するデジタル放送受信判別手段と、
前記受信が設定されたデジタル放送が受信されないと判別された場合は、その代替としての放送が受信されるための代替チャンネルが設定されているか否かを判別する代替チャンネル判別手段と、
前記代替チャンネルが設定されていると判別された場合は、前記設定されたデジタル放送から前記代替チャンネルへ切り換えて代替チャンネルで放送される放送を受信する切り換え受信手段と、
前記代替チャンネルへ切り換えて受信した放送を復調処理および映像処理して映像信号を出力する映像信号出力手段とを備えることを特徴とするデジタル放送受信装置。
【請求項７】
前記映像信号出力手段は切り換えられた放送がデジタル放送であるかアナログ放送であるかに応じてそれぞれデジタル復調処理またはアナログ復調処理が行われることを特徴とする請求項６に記載のデジタル放送受信装置。
【請求項８】
前記代替チャンネルは前記受信が設定されたデジタル放送と同一の内容が放送されるサイマル放送であることを特徴とする請求項１乃至７に記載のデジタル放送受信装置。
【請求項９】
前記代替チャンネルは前記受信が設定されたデジタル放送と同一の内容が放送されるアナログ放送を用いたサイマル放送であることを特徴とする請求項１乃至８に記載のデジタル放送受信装置。
【請求項１０】
放送局から所定周波数で送信されるデジタル放送を受信するように予め設定された周波数に基づいてデジタル放送を受信するステップと、
前記設定されたデジタル放送が受信されたか否かを判別するステップと、
前記受信が設定されたデジタル放送が受信されないと判別された場合は、その代替としての放送が受信されるための代替チャンネルが設定されているか否かを判別するステップと、
前記代替チャンネルが設定されていると判別された場合は、前記設定されたデジタル放送から前記代替チャンネルへ切り換えて代替チャンネルで放送される放送を受信するステップとを備えることを特徴とするデジタル放送受信方法。
【請求項１１】
放送局から所定周波数で送信されるデジタル放送を受信するように予め設定された周波数に基づいてデジタル放送を受信するステップと、
前記設定されたデジタル放送が受信されたか否かを判別するステップと、
前記受信が設定されたデジタル放送が受信されないと判別された場合は、その代替としての放送が受信されるための代替チャンネルが設定されているか否かを判別するステップと、
前記代替チャンネルが設定されていないと判別された場合は、前記設定されたデジタル放送から無信号チャンネルへ切り換えて無信号チャンネルで放送される放送を受信するステップとを備えることを特徴とするデジタル放送受信方法。
【請求項１２】
放送局から所定周波数で送信されるデジタル放送を受信するように予め設定された周波数に基づいてデジタル放送を受信するステップと、
前記設定されたデジタル放送が受信されたか否かを判別するステップと、
前記受信が設定されたデジタル放送が受信されないと判別された場合は、その代替としての放送が受信されるための代替チャンネルが設定されているか否かを判別するステップと、
前記代替チャンネルが設定されていると判別された場合は、前記設定されたデジタル放送から前記代替チャンネルへ切り換えて代替チャンネルで放送される放送を受信し、前記代替チャンネルが設定されていないと判別された場合は、前記設定されたデジタル放送から無信号チャンネルへ切り換えて無信号チャンネルで放送される放送を受信するステップとを備えることを特徴とするデジタル放送受信方法。
【請求項１３】
放送局から所定周波数で送信されるデジタル放送を受信するように受信周波数が設定されるステップと、
前記設定された周波数に基づいてデジタル放送を受信するステップと、
前記設定されたデジタル放送が受信されたか否かを判別するステップと、
前記受信が設定されたデジタル放送が受信されないと判別された場合は、その代替としての放送が受信されるための代替チャンネルが設定されているか否かを判別するステップと、
前記代替チャンネルが設定されていると判別された場合は、前記設定されたデジタル放送から前記代替チャンネルへ切り換えて代替チャンネルで放送される放送を受信するステップとを備えることを特徴とするデジタル放送受信方法。
【請求項１４】
放送局から所定周波数で送信されるデジタル放送を受信するように予め設定された周波数に基づいてデジタル放送を受信するデジタル放送受信ステップと、
前記設定されたデジタル放送が受信されたか否かを判別するステップと、
前記受信が設定されたデジタル放送が受信されないと判別された場合に、その代替として放送が受信されるための代替チャンネルが設定されるステップと、
前記受信が設定されたデジタル放送が受信されないと判別された場合は、前記設定されたデジタル放送から前記設定された代替チャンネルへ切り換えて代替チャンネルで放送される放送を受信するステップとを備えることを特徴とするデジタル放送受信方法。
【発明の詳細な説明】
【０００１】
【発明の属する技術分野】
この発明は、デジタル放送受信装置に係り、特に所定の放送が受信できなくなった際に、受信可能な放送を受信するデジタル放送受信装置に関する。
【０００２】
【従来の技術】
従来の、所定の放送が受信できなくなった際に、受信可能な放送を受信する技術は、リモコンで現実の放送チャンネルが割り当てられていないチャンネル番号が選択された場合に、マイコンが検知して現実の放送チャンネルをチューナに選択させ、所定のキャラクタ信号を同期させつつ送出することにより、本来表示される放送チャンネルに基づく映像が隠れて見えなくなるようにするとともに、文字等のキャラクタをオンスクリーン表示するようにしている。（例えば特許文献１）。
【０００３】
また、従来の、所定の放送が受信できなくなった際に、受信可能な放送を受信する技術は、無信号チャンネルの選局時には無信号の画像を取り込み、その静止画（ノイズ画面）を表示するようにしている。（例えば特許文献２）。
【０００４】
【特許文献１】
特開平１１−３３１７２２号公報（第５−６頁、図１、図４、図５）
【特許文献２】
特開平８−７９７３８号公報（第３−４頁、図１、図２）
【０００５】
【発明が解決しようとする課題】
上記特許文献１および特許文献２の技術は所定の放送が受信できなくなった際の表示方法を開示するものであり、所定の放送が受信できなくなった際にはその都度、ユーザ自身が、代替の放送番組を探さなければならなかった。
【０００６】
【課題を解決するための手段】
この発明に係るデジタル放送受信装置は、放送局から所定周波数で送信されるデジタル放送を受信するように予め設定された周波数に基づいてデジタル放送を受信するデジタル放送受信手段と、前記設定されたデジタル放送が受信されたか否かを判別するデジタル放送受信判別手段と、前記受信が設定されたデジタル放送が受信されないと判別された場合は、その代替としての放送が受信されるための代替チャンネルが設定されているか否かを判別する代替チャンネル判別手段と、前記代替チャンネルが設定されていると判別された場合は前記設定されたデジタル放送から前記代替チャンネルへ切り換えて代替チャンネルで放送される放送を受信する切り換え受信手段とを備えるように構成している。
【０００７】
また、この発明に係るデジタル放送受信方法は、放送局から所定周波数で送信されるデジタル放送を受信するように予め設定された周波数に基づいてデジタル放送を受信するステップと、前記設定されたデジタル放送が受信されたか否かを判別するステップと、前記受信が設定されたデジタル放送が受信されないと判別された場合は、その代替としての放送が受信されるための代替チャンネルが設定されているか否かを判別するステップと、前記代替チャンネルが設定されていると判別された場合は前記設定されたデジタル放送から前記代替チャンネルへ切り換えて代替チャンネルで放送される放送を受信するステップとを備えるように構成している。
【０００８】
【発明の実施の形態】
デジタル放送においては、デジタル放送受信装置で受信されるデジタル放送波の受信状態が良好ではない場合には、例えば、「放送がありません」などのメッセージが表示される。
【０００９】
また、現在、我が国においては、アナログ形式で放送されている地上波アナログ放送をデジタル形式で放送される地上波デジタル放送へ切り換えることが検討されている。
【００１０】
地上波アナログ放送から地上波デジタル放送へ切り換える移行期間においては、複数の地域放送局が設けられ、度々周波数が変更されることが予想される。
【００１１】
そして、地上波デジタル放送においては、デジタル放送受信装置で受信されるデジタル放送波の受信状態が良好ではない状態が起こることが予想される。
【００１２】
この地上波アナログ放送から地上波デジタル放送への移行期間において、地上波デジタル放送で、地上波アナログ放送と同時に、同じ内容の放送を放送するいわゆるサイマル放送（ｓｉｍｕｌｔａｎｅｏｕｓ  ｂｒｏａｄｃａｓｔｉｎｇ）が行われることが検討されている。
【００１３】
この発明の実施の形態においては、地上波デジタル放送の受信状態が良好ではない場合には、代替チャンネルへ切り換えて放送を受信する。
【００１４】
この発明の実施に係るひとつの形態においては、地上波デジタル放送の受信状態が良好ではない場合に、上記サイマル放送がなされている地上波アナログ放送へ切り換えて受信することにより、所望の番組を視聴することができる。
【００１５】
以下、図面を参照してこの発明に係る実施の形態を説明する。
【００１６】
図１は、この発明に係るデジタル放送受信装置を示す図である。
【００１７】
符号１は放送局から送信された地上波デジタル放送および地上波アナログ放送の放送波を受信するアンテナである。
【００１８】
符号２はデジタルチューナ、符号３はデジタル復調回路、符号４はデジタル音声処理回路、符号５はアナログ音声処理回路である。
【００１９】
符号６は音声信号切り換え器、符号７は音声増幅回路、符号８はスピーカ、符号９はアナログチューナ、符号１０はアナログ復調回路、符号１１は映像復調回路、符号１２はグラフィック処理回路である。
【００２０】
符号１３は映像信号合成回路、符号１４は映像増幅回路、符号１５は表示装置、符号１６はＣＰＵ、符号１７は映像処理回路、符号１８はリモコン受信部、符号１９は制御マイコンである。符号２０はリモコンである。
【００２１】
ＣＰＵ１６は、デジタルチューナ２、デジタル復調回路３、デジタル音声処理回路４、アナログ音声処理回路５、音声信号切り換え器６、音声増幅回路７、アナログチューナ９、アナログ復調回路１０、映像復調回路１１、グラフィック処理回路１２、映像信号合成回路１３、映像増幅回路１４、映像処理回路１７をそれぞれ制御する。
【００２２】
放送局から送信された地上波デジタル放送および地上波アナログ放送の放送波がアンテナ１で受信され、デジタルチューナ２およびアナログチューナ９へ出力される。
【００２３】
デジタルチューナ２では、アンテナ１から出力された放送波が入力され、この放送波からＣＰＵ１６に指示された所定周波数のデジタル放送を取り出して、デジタル復調回路３へ放送信号を出力する。
【００２４】
デジタル復調回路３では、デジタルチューナ２から出力されたデジタル信号の復調を行い、それぞれ、デジタル音声処理回路４、映像処理回路１７、グラフィック処理回路１２へ復調されたデジタル信号を出力する。
【００２５】
デジタル音声処理回路４では、デジタル復調回路３から出力された復調されたデジタル信号から音声信号を復号して音声信号切り換え器６へ出力する。
【００２６】
映像処理回路５では、デジタル復調回路３から出力された復調されたデジタル信号から映像を復号して、映像信号を映像信号合成回路１３へ出力する。
【００２７】
グラフィック処理回路で１２では、デジタル復調回路３から出力された復調されたデジタル信号から字幕やデータ放送画面などの文字図形の映像信号を発生して、映像信号合成回路１３へ出力する。
【００２８】
また、アナログチューナ９では、アンテナ１から出力された放送波が入力され、この放送波からＣＰＵ１６に指示された所定周波数のアナログ放送を取り出して、アナログ復調回路１０へ放送信号を出力する。
【００２９】
アナログ復調回路１０では、アナログチューナ９から出力されたアナログ放送信号の復調を行い、復調されたアナログ信号をそれぞれ、アナログ音声処理回路５および映像復調回路１１へ出力する。
【００３０】
アナログ音声処理回路５では、アナログ復調回路１０から出力された復調されたアナログ信号から音声信号の復号を行い、複合された信号を音声信号切り換え器６へ出力する。
【００３１】
映像復調回路１１では、アナログ復調回路１０から出力された復調されたアナログ信号から映像信号を復調し、映像信号を映像信号合成回路１３へ出力する。
【００３２】
音声信号切り換え器６では、デジタル音声処理回路４から出力されたデジタル音声信号とアナログ音声処理回路５から出力されたアナログ音声信号が入力され、入力されたデジタル音声信号とアナログ音声信号をＣＰＵ１６の指示で選択的に音声増幅回路７へ出力する。
【００３３】
音声増幅回路７では、音声信号切り換え器６から出力された音声信号を増幅し、スピーカ８へ出力する。
【００３４】
スピーカ８では、音声増幅回路７から出力された音声信号が入力され、音声が出力される。
【００３５】
映像信号合成回路１３では、映像処理回路１７、グラフィック処理回路１２、映像復調回路１１からそれぞれ出力された映像信号が入力され、デジタル放送の映像信号と文字図形映像とアナログ映像信号の合成もしくは、選択を行い、合成映像信号として映像増幅回路１４へ出力する。
【００３６】
映像増幅回路１４では、映像信号合成回路１３から出力された合成映像信号の増幅を行い、ＣＲＴや液晶表示装置等の表示装置１５へ映像信号を出力する。
【００３７】
表示装置１５では、映像増幅回路１４から出力された映像信号が入力され、映像信号に基づいた映像が表示される。
【００３８】
リモコン（リモートコントローラ）２０は、ユーザによる放送受信装置の遠隔操作を行うための装置であり、例えば、赤外線（Ｉｎｆｒａ−Ｒｅｄ）等を用いてリモコン受信部１８へコード信号を用いて操作信号を送信する。
【００３９】
リモコン受信部１８では、リモコン２０から送信された操作信号を受信し、受信した操作信号を制御マイコン１９へ出力する。
【００４０】
制御マイコン１９では、リモコン受信部１８から出力された操作信号が入力され、リモコン操作の認識を行い、その情報をＣＰＵ１６へ送信する。
【００４１】
ＣＰＵ１６は、ユーザのリモコン操作に応じて、放送受信装置の制御を行う。
【００４２】
ここでは、デジタル放送受信の受信はデジタルチューナ２で行われる（デジタル放送受信手段）。デジタル放送の受信判別はデジタル放送チューナ２での放送受信の状態がＣＰＵ１６へ送信され、ＣＰＵ１６によって判断される（デジタル放送受信判別手段）。デジタル放送が受信されないと判別された場合の代替チャンネルの設定はＣＰＵ１６内の図示しないメモリに記憶され、この記憶された代替チャンネルに切り換えて受信が行われる（切り換え受信手段）。
【００４３】
図２は、この発明に係るデジタル放送受信装置の代替チャンネル設定画面を示す図である。
【００４４】
リモコン２０またはデジタル放送受信装置本体に設けられた図示しない操作スイッチがユーザによって操作され、ＣＰＵ１６内のメモリ（図示なし）に代替チャンネルが設定される。
【００４５】
ここでは、代替チャンネル設定画面が表示されており、デジタル放送○○局の代替放送（チャンネル）をサイマル放送△△局へ設定することの確認画面が表示されている。
【００４６】
ここで代替チャンネルを設定しますか？の問いに対して、ＹＥＳが選択されると、デジタル放送○○局の代替放送（チャンネル）としてサイマル放送△△局が設定される。ＮＯが選択されると、ここでの設定は行われない。
【００４７】
図３は、この発明に係るデジタル放送受信装置の代替チャンネルへの切り換えのようすを説明するフローチャートである。
【００４８】
符号１０１は、開始ステップである。続いて符合１０２を付したステップへ進む。
【００４９】
符号１０２は、所定周波数のデジタル放送（チャンネル）を受信するようにデジタルチューナ２の指示をＣＰＵ１６に設定するステップである。続いて符合１０３を付したステップへ進む。
【００５０】
符号１０３は、設定されたデジタル放送は受信できたかを判断するステップである。設定されたデジタル放送が受信できた場合は符号１０４を付したステップへ進む（Ｙｅｓ）。設定されたデジタル放送が受信できなかった場合は符号１０６を付したステップへ進む（Ｎｏ）。
【００５１】
符号１０４は、受信された放送を表示するステップである。続いて符合１０５を付したステップへ進む。
【００５２】
符号１０６は、代替チャンネル（サイマル放送チャンネル）は登録（設定）されているかを判断するステップである。代替チャンネル（サイマル放送チャンネル）が登録（設定）されていた場合は符号１０７を付したステップへ進む（Ｙｅｓ）。代替チャンネル（サイマル放送チャンネル）が登録（設定）されていなかった場合は符号１０９を付したステップへ進む（Ｎｏ）。
【００５３】
符号１０７は、代替チャンネルに切り換えて受信するステップである。続いて符合１０８を付したステップへ進む。
【００５４】
符号１０８は、切り換えられたチャンネルの放送を受信し、表示するステップである。続いて符合１０５を付したステップへ進む。
【００５５】
符号１０９は、アナログ放送の無信号チャンネルに切り換えて無信号チャンネルを受信するステップである。続いて符合１１０を付したステップへ進む。
【００５６】
符号１１０は、切り換えられた無信号チャンネルの放送を受信し、受信された無信号チャンネルの放送を表示するステップである。続いて符合１０５を付したステップへ進む。
【００５７】
符号１０５は、終了ステップであり、ここでの処理は終了する。
【００５８】
上記説明したように、この発明の実施の形態においては、設定されたデジタル放送が受信できたかの判定を行い、設定されたデジタル放送が受信できなかった場合に、所定の放送（代替チャンネル）に切り換えて受信するものである。
【００５９】
このとき、デジタル放送の受信確認の判断としてデジタル復調回路３においてデコードすべきＭＰＥＧデータが検出されたか否かを検出するように構成してもよい。
【００６０】
また、上記説明したように、デジタル放送の映像を表示できない場合には、アナログチューナ９用いて、無信号チャンネルを選局するようにして、ノイズ画面を表示するように構成してもよい。
【００６１】
このように構成することによって、この発明の実施の形態においては、所定周波数のデジタル放送を受信できなかった場合には、自動的に他の放送チャンネルを選局するので、ユーザ操作が煩雑となることを防止することができる。
【００６２】
また、この発明の実施の形態においては、所定の放送が受信できなくなった際に、ユーザ自身が、代替の放送番組を探さなければならないという煩雑さを防止することができる。
【００６３】
【発明の効果】
上記説明したように、この発明の実施の形態においては、所定周波数のデジタル放送を受信できなかった場合には、自動的に他の放送チャンネルを選局するので、ユーザ操作が煩雑となることを防止することができる。
【００６４】
また、この発明の実施の形態においては、所定の放送が受信できなくなった際に、ユーザ自身が、代替の放送番組を探さなければならないという煩雑さを防止することができる。
【図面の簡単な説明】
【図１】この発明に係るデジタル放送受信装置を示す図。
【図２】この発明に係るデジタル放送受信装置の代替チャンネル設定画面を示す図。
【図３】この発明に係るデジタル放送受信装置の代替チャンネルへの切り換えのようすを説明するフローチャート。
【符号の説明】
１  …  アンテナ
２  …  デジタルチューナ
３  …  デジタル復調回路
４  …  デジタル音声処理回路
５  …  アナログ音声処理回路
６  …  音声信号切り換え器
７  …  音声増幅回路
８  …  スピーカ
９  …  アナログチューナ
１０  …  アナログ復調回路
１１  …  映像復調回路
１２  …  グラフィック処理回路
１３  …  映像信号合成回路
１４  …  映像増幅回路
１５  …  表示装置
１６  …  ＣＰＵ
１７  …  映像処理回路
１８  …  リモコン受信部
１９  …  制御マイコン
２０  …  リモコン
【図１】
2004241983.tif 000003
【図２】
2004241983.tif 000004
【図３】
2004241983.tif 000005